【事件の表示】
　特許第３４１６５３６号「ディジタルカメラ」の請求項１から請求項４までに係る特許に対する特許異議の申立てについて、次のとおり決定する。
【結　論】
　訂正を認める。
　特許第３４１６５３６号の請求項１に係る特許を取り消す。
【理　由】
第一．手続の経緯
　特許第３４１６５３６号（登録時の請求項の数４）に係る出願は、平成１０年１０月１４日の出願であり、その発明について、平成１５年４月４日に特許権の設定の登録があった。
　その後、その請求項１から請求項４まで（全請求項）に係る特許について、平成１５年１２月１２日に特許異議申立人・有限会社オフィスアテナから、平成１５年１２月１６日に特許異議申立人・大木茂から、それぞれ、特許異議の申立てがあった。
　平成１６年７月２０日付けで取消しの理由が通知されたところ、同通知において指定された期間内に訂正請求書（平成１６年９月２２日付け）が提出された。
　
第二．訂正の請求
　〈結論〉
　訂正を認める。
　〈理由〉
１．請求の趣旨等
　（ａ）請求の趣旨
　本件訂正の請求（平成１６年９月２２日付け）の趣旨は、願書に添付した明細書（特許明細書）を訂正請求書に添付した訂正した明細書（訂正明細書）のとおりに訂正することを求めるものである。
　（ｂ）訂正の内容
　訂正事項１
　請求項１において、「表示手段を備える」（訂正前）を、「表示手段を備え、前記撮影手段は第１期間毎に１画面分の第１画像信号を出力し、前記読み出し手段は前記第１期間よりも短い第２期間毎に１画面分の第２画像信号を読み出し、前記第２期間は前記第１期間の整数分の１であり、前記指定手段は指定するメモリエリアを前記第１期間毎に切り換え、前記メモリはＳＤＲＡＭであり、前記書き込み手段は、前記間引き手段によって生成された第２画像信号を保持するバッファ、および前記バッファによって保持された第２画像信号を前記メモリに転送する転送手段を含む」（訂正後）に訂正する。
　訂正事項２
　請求項２から請求項４までを削除する。
　訂正事項３
　段落0005において、「この発明は」（訂正前）を「この発明のディジタルカメラは」（訂正後）に訂正し、「表示手段を備える、ディジタルカメラである」（訂正前）を「表示手段を備え、撮影手段は第１期間毎に１画面分の第１画像信号を出力し、読み出し手段は第１期間よりも短い第２期間毎に１画面分の第２画像信号を読み出し、第２期間は第１期間の整数分の１であり、指定手段は指定するメモリエリアを第１期間毎に切り換え、メモリはＳＤＲＡＭであり、書き込み手段は、間引き手段によって生成された第２画像信号を保持するバッファ、およびバッファによって保持された第２画像信号をメモリに転送する転送手段を含む」（訂正後）に訂正する。
　訂正事項４
　段落0006において、「出力手段は、ＣＣＤイメージャから第１解像度画像信号を出力する。出力された第１解像度画像信号は、間引き手段によって間引き処理を施され、この結果、第１解像度画像信号よりも低解像度の第２解像度画像信号が生成される。一方、指定手段は、メインメモリが有する２つのメモリエリアのそれぞれを選択的に指定する。メイン書き込み手段は、指定手段の出力に基づいて一方のメモリエリアの一方に第２解像度画像信号を書き込む。また、メイン読み出し手段は、指定手段の出力に基づいて他方のメモリエリアから第２解像度画像信号を読み出す。」（訂正前）を「撮影手段は、第１解像度の第１画像信号を出力する。出力された第１画像信号は、間引き手段によって間引き処理を施され、この結果、第１画像信号よりも低解像度の第２画像信号が生成される。一方、指定手段は、メモリが有する２つのメモリエリアのそれぞれを選択的に指定する。書き込み手段は、指定手段の出力に基づいて一方のメモリエリアに第２画像信号を書き込む。また、読み出し手段は、指定手段の出力に基づいて他方のメモリエリアから第２画像信号を読み出す。」（訂正後）に訂正する。
　訂正事項５
　段落0007において、「この発明のある局面では、出力手段は第１所定期間毎に１画面分の第１解像度画像信号を出力し、メイン読み出し手段は第１所定期間よりも短い第２所定期間毎に１画面分の第２解像度画像信号を読み出す。また、指定手段は、指定するメモリエリアを第１所定期間毎に交互に切り換える。この発明の他の局面では、シャツタボタンの操作に応答して、第１不能化手段が間引き手段を不能化する。このため、バッファメモリから第２解像度画像信号に代えて第２解像度画像信号が出力される。１画面分の第１解像度画像信号がバッファメモリから出力されると、この時点で第２不能化手段がバッファ読み出し手段を不能化する。また、シャツタボタンの操作に応答して、第３不能化手段がメイン読み出し手段を不能化する。」（訂正前）を「この発明のある局面では、撮影手段は第１期間毎に１画面分の第１画像信号を出力し、読み出し手段は第１期間よりも短い第２期間毎に１画面分の第２画像信号を読み出す。また、指定手段は、指定するメモリエリアを第１期間毎に交互に切り換える。」（訂正後）に訂正する。
　訂正事項６
　段落0008において、「この発明のその他の局面では、第２解像度画像信号に対応する画像がモ二夕に表示される。」（訂正前）を「この発明のその他の局面では、第２画像信号に対応する画像が表示手段によって表示される。」（訂正後）に訂正する。
　訂正事項７
　段落0009において、「この発明によれば、第１解像度画像信号に間引き処理を施して低解像度の第２解像度画像信号を生成するようにしたため、ＣＣＤイメージャの解像度が高くなっても信号処理に破綻が生じることはない。また、一方のメモリエリアに対して書き込む動作を行うとき、他方のメモリエリアに対して読み出し動作を行うようにしたため、動作速度が異なるときでも、一方の動作が他方の動作を追い越すことはなく、出力される画像に乱れは生じない。」（訂正前）を「この発明によれば、第１解像度の第１画像信号に間引き処理を施して低解像度の第２画像信号を生成するようにしたため、撮影手段の解像度が高くなっても信号処理に破綻が生じることはない。また、一方のメモリエリアに対して書き込む動作を行うとき、他方のメモリエリアに対して読み出し動作を行うようにしたため、動作速度が異なるときでも、一方の動作が他方の動作を追い越すことはなく、出力される画像に乱れは生じない。」（訂正後）に訂正する。
　
２．訂正の適合性
　（ａ）訂正の目的
　訂正事項１は、請求項１（訂正前）に新たな構成要件を追加したものであり、特許請求の範囲の減縮に該当する。
　訂正事項２は、請求項を削除したものであり、特許請求の範囲の減縮に該当する。
　訂正事項３から訂正事項７までは、いずれも、請求項１（訂正後）との整合性を確保するためのものであり、明りようでない記載の釈明に該当する。
　（ｂ）訂正の範囲
　訂正事項１について
　請求項１（訂正後）において、「前記撮影手段は第１期間毎に１画面分の第１画像信号を出力し」および「前記読み出し手段は前記第１期間よりも短い第２期間毎に１画面分の第２画像信号を読み出し」は訂正前の請求項２に記載された事項と同一である。「前記指定手段は指定するメモリエリアを前記第１期間毎に切り換え」は訂正前の請求項３に記載された事項と同一である。「前記第２期間は前記第１期間の整数分の１であり」は訂正前の請求項４に記述された事項と実質的に同一である。
　同じく「メモリはＳＤＲＡＭであり」、書き込み手段を構成する「バッファ」、および、書き込み手段を構成する「転送手段」は、それぞれ、特許明細書の図１（ＳＤＲＡＭ３８）、図１（バッファ２６ａ）、および、図２（バッファ制御回路３２ａおよびＳＤＲＡＭ書き込み回路３４ａ）と段落0018に記載されている。
　訂正事項３から訂正事項７までについて
　訂正事項１について指摘した上記箇所に記載されている。
　したがって、訂正事項１から訂正事項７までは、いずれも、願書に添付した明細書又は図面に記載した事項の範囲内においてする訂正である。
　（ｃ）特許請求の範囲の拡張・変更
　訂正事項１から訂正事項７までは、訂正の前後において、特許請求の範囲に記載された用語の意義の解釈、産業上の利用分野、解決しようとする課題及び効果に変更をもたらすものではない。
　したがって、訂正事項１から訂正事項７までは、いずれも、実質上特許請求の範囲を拡張し又は変更するものではない。
　
３．まとめ
　以上、本件訂正は、特許法（特許法等の一部を改正する法律（平成１５年５月２３日法律第４７号）により改正される前の特許法）第１２０条の４第２項の規定に適合し、かつ、同条第３項において準用する特許法第１２６条第２項及び第３項の規定にも適合するから、これを認める。
　
第三．本件発明
　訂正を認める。
　訂正後の請求項１に係る発明（以下、本件発明ともいう）は、訂正明細書の特許請求の範囲の請求項１に記載された事項によりに特定されるところの、下記のとおりのものである。
　　　　　記（訂正後の特許請求の範囲）
　【請求項１】
　被写体の光学像に対応する第１解像度の第１画像信号を出力する撮影手段、
　前記第１画像信号に間引き処理を施して前記第１画像信号よりも低解像度の第２画像信号を生成する間引き手段、
　少なくとも２つのメモリエリアを有するメモリ、
　前記２つのメモリエリアのそれぞれを選択的に指定する指定手段、
　前記間引き手段によって生成された第２画像信号を前記指定手段の出力に基づいて前記２つのメモリエリアの一方に書き込む書き込み手段、
　前記指定手段の出力に基づいて前記２つのメモリエリアの他方から前記第２画像信号を読み出す読み出し手段、および
　前記読み出し手段によって読み出された前記第２画像信号に基づく画像を表示する表示手段を備え、
　前記撮影手段は第１期間毎に１画面分の第１画像信号を出力し、
　前記読み出し手段は前記第１期間よりも短い第２期間毎に１画面分の第２画像信号を読み出し、
　前記第２期間は前記第１期間の整数分の１であり、
　前記指定手段は指定するメモリエリアを前記第１期間毎に切り換え、
　前記メモリはＳＤＲＡＭであり、
　前記書き込み手段は、前記間引き手段によって生成された第２画像信号を保持するバッファ、および前記バッファによって保持された第２画像信号を前記メモリに転送する転送手段を含む、ディジタルカメラ。
　
第四．特許異議の申立て
１．申立ての概要
　特許異議の申立ての理由は、概略、下記のとおりである。
　　　　　記（申立ての理由）
　（ａ）申立人・有限会社オフィスアテナ
　　対象請求項：請求項１から請求項４まで
　　違反条項　：特許法２９条２項
　　証拠方法　：特開平９−１６３２９４号公報（甲１）
　　　　　　　　特開平５−１００６４７号公報（甲２）
　　　　　　　　特開平１０−１０８１２１号公報（参考資料１）
　（ｂ）申立人・大木茂
　　対象請求項：請求項１から請求項４まで
　　違反条項　：特許法２９条２項
　　証拠方法　：特開平７−３１２７１４号公報（甲１）
　　　　　　　　特開平８−６５２８号公報（甲２）
　　　　　　　　特開平８−８３３４７号公報（甲３）
　
２．取消しの理由
（１）当審が通知した取消しの理由は、概略、下記のとおりである。
　　　　　記（取消しの理由）
　請求項１から請求項４までに係る発明は、いずれも、下記刊行物に記載された各発明に基づいて当業者が容易に発明をすることができたものであるから、請求項１から請求項４までに係る特許は特許法第２９条第２項の規定に違反してされたものである。
　　　　　記
　刊行物１：特開平７−３１２７１４号公報（大木甲１）
　刊行物２：特開平１０−２６２２０３号公報
　刊行物３：特開平８−６５２８号公報（大木甲２）
　刊行物４：特開平８−８３３４７号公報（大木甲３）
（２）刊行物の記載
　取消しの理由で通知した刊行物１（特開平７−３１２７１４号公報、平成７年１１月２８日出願公開）には、以下の事項が記載されている。
　〈概括〉
　　（ア）「【産業上の利用分野】本発明は、被写体を撮像して半導体メモリカード等のメモリ装置に高解像度の画像信号を記憶する電子スチルカメラに係り、特に、たとえば撮影時の高解像度の被写体画像の映像をモニタに実時間で表示する電子スチルカメラに関するものである。」（0001）
　　（イ）「高解像度の電子スチルカメラの場合・・高解像度のモニタが必要であるばかりでなくその再生に時間かかり、リアルタイム再生できず、したがってカメラのビューファインダに適していないという問題点があった。・・高解像度の電子スチルカメラでは、被写体の画像情報をそのままに、たとえばNTSC方式のカラー受像機のような標準解像度のモニタなどに表示することができないという問題点もあった。」（0006）
　　（ウ）「【作用】本発明による電子スチルカメラよれば、撮像手段からの被写体の画像を表わす高解像度信号の映像をビューファインダに表示する場合、処理手段は、高解像度信号を間引いて低解像度信号に変換し、それを実時間でビューファインダに表示する。」(0010)
　〈全体の構成〉
　　（エ）「同図（注：図１）において、この電子スチルカメラ１は撮像レンズ10によって撮像して得た被写体画像の電気信号を可視画像として再生部26にて再生するとともに、この電気信号が表す高解像度の画像データを圧縮してメモリカード36へ記憶する装置である。・・このカメラ１はとくに、ムービー処理部20により被写体画像の電気信号を表す高解像度信号を間引いて低解像度信号に変換するから、高解像度の被写体画像の映像を実時間で再生部26を介してモニタ装置29に表示する。」（0012）
　　（オ）「撮像素子12は・・高解像度カメラの場合、約130 万画素（表示ドット数、横1280×縦1024ドット）のCCD を使用し・・変換した画素信号を出力100に出力する。・・アナログディジタル変換器16は、入力102に現れたアナログ画像信号をディジタル値に変換する変換回路を有するとともに、ディジタル値に変換した１フレーム分の高解像度のディジタル画像データが蓄積できる少なくとも１フレーム分の容量を持つフレームメモリを有している。このフレームメモリに蓄積された画像データは、後述の制御部38の制御を受けて出力104に読み出される。アナログディジタル変換器16の出力104は、ＹＣ処理部18およびムービー処理部20の入力に接続されている。」（0013）
　　（カ）「モニタ装置29は、そのNTSC方式の映像信号を可視画像としてスクリーンに表示する画像表示装置である。・・モニタ装置29は、カメラ１のビューファインダとして機能し、再生部26との接続27は、有線または無線のいずれでもよく、また固定接続または着脱可能な接続のいずれでもよい。」（0015）
　　（キ）「図１を参照すると、制御部38は・・特に、後述するムービー処理部20を制御および管理する第２の制御回路（図示せず）も有している。この第２の制御回路は、本実施例では、高解像度CCD からの被写体画像をたとえばNTSC方式のモニタ装置でモニタする場合特に、上述したアナログディジタル変換器16のフレームメモリに蓄積されている高解像度の画像データをそのモニタ装置の横、縦のドット数に対応して間引き読み出し用の制御信号を生成するともに、このフレームメモリからの読み出された画像データに対して画像処理を施す後述するムービー処理部20用の制御信号も生成している。」（0017）
　〈ムービー処理部20の構成〉
　　（ク）「このムービー処理部20は・・入力104に現れた高解像度のCCD からの画素データＲ、ＧおよびＢをNTSC方式のモニタ装置に表示し得るような画素数の輝度信号データＹ、色差信号データR-Y、B-Y、あるいは色信号Ｒ、Ｇ、Ｂに変換し、それを出力106あるいは出力107に出力する画像処理回路であり、セレクタ200、第１の乗算器210、第２の乗算器260、第３の乗算器380、第４の乗算器440、第１の加算器220、第２の加算器280、第３の加算器400、第４の加算器460、第１のメモリ240、第２のメモリ300、第３のメモリ420、第４のメモリ480、入力制御部320、出力制御部340、およびＹＣ変換器360 からなっている。」（0018）
　　（ケ）「セレクタ200は、入力104に入力した画素データを、第１の乗算器210、第１の加算器220・・第２のメモリ300、ＹＣ変換回路360からなる第１の変換ルートで変換するか、あるいは第３の乗算器380・・第４のメモリ480、ＹＣ変換回路360 からなる第２の変換ルートで変換するかを選択するスイッチである。この場合、選択信号は、制御部38の第２の制御回路から供給するようになっている。また、この場合、入力制御部320および出力制御部340は、第１および第２の変換ルートの各メモリに制御信号を供給するようになっている。」（0019）
　　（コ）「なお、第３の乗算器380は上述の第１の乗算器210と同じ機能を有し、第３の加算器400は上述の第１の加算器220と同じ機能を有し、第３のメモリ420は上述の第１のメモリ240と同じ機能を有し、第４のメモリ420は上述の第２のメモリ300と同じ機能を有し、第４の乗算器440は上述の第２の乗算器260と同じ機能を有し、第４の加算器460は上述の第２の加算器280と同じ機能を有している」（0030）
　〈画素数の半減〉
　　（サ）「制御部38の第２の制御回路からの読み出し制御信号120に基づいてアナログディジタル変換器16内のフレームメモリに蓄積されている横1280ドット、縦の1024ドットの画素データを、横の1280ドットはそのままに、また、縦の1024ドットは１ラインおきに読み出してセレクタ200の入力104に入力している。」（0020）
　　（シ）「本実施例では、Ｒ加算器222、Ｇ加算器224およびＢ加算器226の出力223 に出力される横方向１ラインのＲ、ＧおよびＢのそれぞれの画素数は、入力のそれの半分となり、したがって横方向１ラインのＲ、ＧおよびＢの合計画素数は、入力される1280ドットの半分の640ドットとなる。Ｒ加算器222、Ｇ加算器224およびＢ加算器226の出力223は、第１のメモリ240の入力に接続されている。第１のメモリ240は、ビデオRAMなどにて構成されており、本実施例では、少なくとも入力223に現れた１フレーム分の画素データ（横640×縦512ドット）を蓄積するフレームメモリである。」（0022、0023）
　　（ス）「Ｒ加算器282、Ｇ加算器284およびＢ加算器286は、本実施例では、画素を補間を行っており、したがって各々サンプル点のＲ、ＧおよびＢの画素データを出力283から出力する。ゆえに上記各加算器は、横方向１ラインにおいて、Ｒ、ＧおよびＢそれぞれ640ドットの画素データを出力する。Ｒ加算器282、Ｇ加算器284およびＢ加算器286の出力283は、第２のメモリ300の入力に接続されている。第２のメモリ300は、ビデオRAMなどにて構成されており、本実施例では、入力283に現れたＲ、ＧおよびＢそれぞれの画素データ（横640×縦512×色の種類３ドット）を蓄積する記憶回路である。」（0025、0026）
　〈変換処理とモニタ表示の交替的動作〉
　　（セ）「ＹＣ変換器360は・・第２のメモリ300あるいは第４のメモリ480から画素データＲ、ＧおよびＢを入力し、入力した画素データＲ、ＧおよびＢそれぞれを用い、制御部38の第２の制御回路の読み出し開始信号122に基づく後述する出力制御部340の制御信号により、輝度信号データＹ（横640×縦512ドット）および色差信号データR-Y、B-Y（それぞれ横640×縦512ドット）のデータ形式に変換する変換回路であり、変換したデータを出力106に出力する。この変換回路360はさらに、第２のメモリ300からの画素データを用いるか、あるいは後述の第４のメモリ480からの画素データを用いるかを選択する選択回路を有し、制御部38よりの切替信号122に基づき、どちらかを選択するとともに、選択した第２のメモリ300あるいは第４のメモリ480からの画素データＲ、ＧおよびＢを出力107に出力する。」（0027）
　　（ソ）「基本的に、第１の変換ルートにより被写体の画像をモニタに表示しているときは、第２の変換ルートは被写体の画像の変換処理を行い、また第２の変換ルートにより被写体の画像をモニタに表示しているときは、第１の変換ルートは被写体の画像の変換処理を行うことができる。また図２において、たとえば、第２の変換ルートの第３の乗算器380、第３の加算器400、第３のメモリ420、第４の乗算器440および第４の加算器460を含まず、第２の加算器280 の出力283を第４のメモリ480の入力に接続する構成とすることで、基本的に図２と同様に、モニタへの被写体の画像の表示、および被写体の画像の変換処理を各々独立に行うことができる。」（0031）
　　（タ）「入力制御部320は・・制御部38の・・読み出し開始信号122に基づいて第１のメモリ240および第３のメモリ420への読み出し制御信号などを生成するとともに、制御部38の・・書き込み開始信号122に基づいて第２のメモリ300および第４のメモリ480への書き込み制御信号などを生成する制御回路である。また、出力制御部340は、制御部38の・・読み出し制御信号122に基づいて第２のメモリ300および第４のメモリ480へのインターレースあるいはノンインターレース読み出し制御信号などを生成するとともに、ＹＣ変換器360へ画像処理用の制御信号などを生成する制御回路である。」（0028）
　〈メモリの削除〉
　　（チ）「また、図１および２において、アナログディジタル変換器16のフレームメモリ、第１のメモリあるいは第３のメモリを介さずに、アナログディジタル変換器16から直接画素データを第１の乗算器210あるいは第３の乗算器380に送り、さらに第１の加算器220から直接画素データを第２の乗算器260に送り、第３の加算器400から直接画素データを第４の乗算器440に送る構成でよい。」（0032）
（３）対比
　本件発明と刊行物１記載の発明とを対比する。
　（ａ）記載エ、オによれば、電子スチルカメラ１は、撮像レンズ10および撮像素子12（横1280×縦1024ドットのCCD）を使用し、被写体画像の画素信号を出力100に出力する。
　出力100（被写体画像の画素信号、横1280×縦1024）は本件発明の「第１解像度の第１画像信号を出力する」に相当し、撮像レンズ10および撮像素子12は、本件発明の「被写体の光学像に対応する第１解像度の第１画像信号を出力する撮影手段」および「撮影手段は第１期間毎に１画面分の第１画像信号を出力し」に相当する。
　（ｂ1）記載サによれば、アナログディジタル変換器16は上記被写体画像の画素信号をＡ／Ｄ変換して内部のフレームメモリに蓄積（横1280×縦1024）すると共に、横1280ドットはそのままに、縦1024ドットを１ラインおきに読み出してセレクタ200の入力104 に入力する。
　記載シによれば、第１の乗算器210および第１の加算器220は、その出力223の横方向１ラインの画素数を入力104の画素数（1280）の半分（640）とし、その１フレーム分の画素データ（横640×縦512）を第１のメモリ240に蓄積する。
　記載スによれば、第２の乗算器260および第２の加算器280は、第１のメモリ240に蓄積された画素データ（横640×縦512）を補間し、入力制御部320からの書き込み制御信号により、その出力283である画素データ（横640×縦512）を第２のメモリ300に蓄積する。
　記載ケ、ソによれば、第１の乗算器210、第１の加算器220、第１のメモリ240、第２の乗算器260、第２の加算器280および第２のメモリ300は、第１の変換ルートを構成し、第３の乗算器380、第３の加算器400、第３のメモリ420、第４の乗算器440、第４の加算器460および第４のメモリ420は、第２の変換ルートを構成する。さらに、記載コによれば、第１の変換ルートと第２の変換ルートとは同じ機能を有する。
　記載チによれば、第１のメモリ240（第３のメモリ420）を介さずに、第１の加算器220（第３の加算器400）から直接画素データを第２の乗算器260（第４の乗算器440）に送る構成でもよいことから、第１のメモリ240（第３のメモリ420）は、画素数を半分にする際の単なる出力バッファ（第１の加算器220（第３の加算器400）の出力バッファ）であることは明らかである。
　（ｂ2）以上によれば、以下の点が認められる。
　第１のメモリ（第３のメモリ）に蓄積される画素データ（横640×縦512）は、本件発明の「第１画像信号よりも低解像度の第２画像信号」に相当する。
　第１の乗算器210および第１の加算器220（第３の乗算器380および第３の加算器400）は、本件発明の「第１画像信号に間引き処理を施して第１画像信号よりも低解像度の第２画像信号を生成する間引き手段」に相当する。
　第２のメモリ300（第４のメモリ480）は、本件発明の「メモリエリア」に相当し、合わせて、本件発明にいう「少なくとも２つのエリアを有するメモリ」を構成する。
　第１のメモリ240（第３のメモリ420）は、本件発明の「間引き手段によって生成された第２画像信号を保持するバッファ」に相当する。
　（ｃ1）記載セによれば、ＹＣ変換器360は、第２のメモリ300からの画素データを用いるか、あるいは第４のメモリ480からの画素データを用いるかを選択する。
　記載ソによれば、第１の変換ルートが被写体画像をモニタに表示しているときは、第２の変換ルートは被写体画像の変換処理を行い、また、第２の変換ルートが被写体画像をモニタに表示しているときは、第１の変換ルートは被写体画像の変換処理を行うことにより、被写体画像のモニタ表示と被写体画像の変換処理を各々独立に行う。この構成は、第２のメモリ300から読み出すときは、第４のメモリ480に書込みを行い、第２のメモリ480から読み出しているときは、第４のメモリ300に書込みを行う構成であることは明らかである。そして、このような書込み・読出しの制御が入力制御部320および出力制御部340により制御されることは、記載タのとおりである。
　なお、第２の変換ルートを含まない第１の変換ルートのみの構成とした上で、第１の変換ルートの出力（出力283）を第４のメモリ480にも接続することも記載されている。
　（ｃ2）以上によれば、以下の点が認められる。
　入力制御部320、出力制御部340および制御部38からなる回路構成は、本件発明にの「２つのメモリエリアのそれぞれを選択的に指定する指定手段」および「指定手段は指定するメモリエリアを第１期間毎に切り換え」に相当する。
　第１のメモリ240（第３のメモリ420）、第２の乗算器260（第４の乗算器440）、第２の加算器280（第４の加算器460）、第２のメモリ300、第４のメモリ480およびＹＣ変換器360からなる構成は、本件発明の「間引き手段によって生成された第２画像信号を指定手段の出力に基づいて２つのメモリエリアの一方に書き込む書き込み手段」および「指定手段の出力に基づいて２つのメモリエリアの他方から前記第２画像信号を読み出す読み出し手段」に相当する。
　ＹＣ変換器360は第１変換ルートと第２変換ルートの変換処理とモニタ表示とを切り替えることから、本件発明の「読み出し手段は第２の期間毎に１画面分の第２画像信号を読み出し」に相当する構成の存在が認められる。
　第１のメモリ240（第３のメモリ420）が、本件発明の「間引き手段によって生成された第２画像信号を保持するバッファ」に相当することは前記のとおりであるから、本件発明の「書き込み手段は、間引き手段によって生成された第２画像信号を保持するバッファ、およびバッファによって保持された第２画像信号をメモリに転送する転送手段を含む」に相当する構成の存在が認められる。
　（ｄ）モニタ装置29（記載カ）またはＲＧＢモニタ装置（段落0029）は、本件発明の「読み出し手段によって読み出された第２画像信号に基づく画像を表示する表示手段」に相当する。
（４）一致点・相違点
　以上によれば、本件発明と刊行物１記載の発明との一致点および相違点はそれぞれ下記のとおりである。
　　　　　記（一致点）
  被写体の光学像に対応する第１解像度の第１画像信号を出力する撮影手段、
　第１画像信号に間引き処理を施して第１画像信号よりも低解像度の第２画像信号を生成する間引き手段、
　少なくとも２つのメモリエリアを有するメモリ、
　２つのメモリエリアのそれぞれを選択的に指定する指定手段、
　間引き手段によって生成された第２画像信号を指定手段の出力に基づいて２つのメモリエリアの一方に書き込む書き込み手段、
　指定手段の出力に基づいて２つのメモリエリアの他方から第２画像信号を読み出す読み出し手段、および
　読み出し手段によって読み出された前記第２画像信号に基づく画像を表示する表示手段を備え、
　撮影手段は第１期間毎に１画面分の第１画像信号を出力し、
　読み出し手段は第２期間毎に１画面分の第２画像信号を読み出し、
　指定手段は指定するメモリエリアを第１期間毎に切り換え、
　書き込み手段は、間引き手段によって生成された第２画像信号を保持するバッファ、およびバッファによって保持された第２画像信号をメモリに転送する転送手段を含む、ディジタルカメラ。
　　　　　記（相違点）　
　相違点１
　本件発明は、「読み出し手段は第１期間よりも短い第２期間（第１期間の整数分の１）毎に１画面分の第２画像信号を読み出（し）」するのに対して、刊行物１は、「読み出し手段は第１期間と同じ長さの第２期間毎に１画面分の第２画像信号を読み出す」点。
　相違点２
　本件発明は、「メモリはＳＤＲＡＭであ（り）」るのに対して、刊行物１には第２のメモリ300につき「ビデオＲＡＭなど」（記載ス）と記載されている点。
（５）相違点等の検討
　（ａ）相違点１
　（ａ1）訂正明細書には、「ＮＴＳＣフォーマットによれば、表示画像を１／３０秒毎に更新しなければならない。」（段落0002）、「なお、各フレームのカメラ信号の出力には１／１５秒かかる。」（段落0012）、「上述のように、１フレームのＹＵＶデータの書き込みに１／１５秒必要となる一方、１フレームのＹＵＶデータの読み出しは１／３０秒で完了する。また、バンク切り換えパルスのレベルは、１／１５秒毎に変化する。このため、一方のバンクに現フレームのＹＵＶデータが書き込まれる間に、他方のバンクから次のフレームのＹＵＶデータが２回繰り返して読み出される。このように、書き込みに要する時間と読み出しに要する時間とにずれがあるため、バンクが１つしかないと、読み出し走査が書き込み走査を追い越してしまう。すると、モニタ上４４に、水平方向に延びる線が現れてしまう。」（段落0021）などの記載がある。
　これらによれば、本件発明は、供給される画像信号の画面レートと表示装置の画面レートとの相違を解消するために、第２期間を第１期間よりも短くした（第１期間の整数分の１）ことが認められる。間引きを含めて、被写体の画像信号を実時間でモニタ表示するとの思想を基本とするものである。
　（ａ2）刊行物１は、高像度の電子スチルカメラでは、その再生に時間がかかり、被写体の画像情報をそのままに標準解像度のモニタ（たとえばNTSC方式）に表示することができないという問題点があったところへ、高解像度信号を間引いて低解像度信号に変換し、実時間でモニタ表示することをその目的とするものである（記載イ、ウ）。刊行物１も、本件発明と同じく、被写体の画像信号を実時間でモニタ表示するとの思想に立つものである。
　刊行物１では、撮像素子が出力する画面レートとモニタ装置の画面レートとが同じである設計基準を採用したことから、第１期間と第２期間とが同じ長さであることが認められる。他方、フィールド周波数（画面レート）が異なる２つの方式のRGBモニタ装置（525/60方式、625/50方式）のいずれも採用できる旨の記載（0015、0029、0065）もあることからすると、刊行物１は、供給される画像信号の画面レートとこれに対応するモニタ装置の方式（画面レート）との組合せは唯一ではない。そうすると、撮像素子が出力する画面レートにこれとは異なる方式（画面レート）のモニタ装置を組み合せることも格別排除してはいないことが窺われる。
　（ａ3）他方、刊行物３には、供給される画像信号の画面レートより速い画面レート（４倍）の表示装置を採用する場合において、１フレーム分の表示データの取り込み時間の間に整数個（４個）のフレーム分を繰り返して読み出し表示することが記載されている（段落0011、段落0012、図３および図４）。
　（ａ4）そうすると、相違点１に係る構成は、刊行物３の記載を参照し、刊行物１記載のモニタ装置として、画面レートが速い方式のモニタ装置を採用したときにおいて当業者がする、単なる設計的事項に過ぎないと認められる。
　（ｂ）相違点２
　フレームメモリとしてＳＤＲＡＭを用いることは周知の事項である（例えば、特開平８−２８００２５号公報、特開平１０−８４５３２号公報を参照）。相違点２に係る構成は、かかる周知の事項を参照して当業者が容易になし得る、設計変更であると認められる。
　（ｃ）効果等
　以上のとおり、相違点１及び相違点２に係る各構成は当業者が容易になし得ることであり、また、これら相違点を総合しても格別の作用をなすとは認められない。本件発明の効果も、刊行物１および刊行物３の記載、並びに周知技術から予測することができる程度のものにすぎない。
（６）以上、本件発明は、刊行物１および刊行物３に記載された発明および周知技術に基づいて、当業者が容易に発明をすることができたものと認められる。
　
第五．むすび
　以上のとおり、訂正後の請求項１に係る特許は、特許法第２９条第２項の規定に違反してされたものであり、取り消すべきものである。
　よって、結論のとおり決定をする。
【異議決定日】
平成１６年１１月２日（２００４．１１．２）
【訂正の要旨】
審決（決定）の【理由】欄参照。
（５４）【発明の名称】
ディジタルカメラ
（５７）【特許請求の範囲】
　【請求項１】
　被写体の光学像に対応する第１解像度の第１画像信号を出力する撮影手段、
　前記第１画像信号に間引き処理を施して前記第１画像信号よりも低解像度の第２画像信号を生成する間引き手段、
　少なくとも２つのメモリエリアを有するメモリ、
　前記２つのメモリエリアのそれぞれを選択的に指定する指定手段、
　前記間引き手段によって生成された第２画像信号を前記指定手段の出力に基づいて前記２つのメモリエリアの一方に書き込む書き込み手段、
　前記指定手段の出力に基づいて前記２つのメモリエリアの他方から前記第２画像信号を読み出す読み出し手段、および
　前記読み出し手段によって読み出された前記第２画像信号に基づく画像を表示する表示手段を備え
、
　
前記撮影手段は第１期間毎に１画面分の第１画像信号を出力し、
　
前記読み出し手段は前記第１期間よりも短い第２期間毎に１画面分の第２画像信号を読み出し、
　
前記第２期間は前記第１期間の整数分の１であり、
　
前記指定手段は指定するメモリエリアを前記第１期間毎に切り換え、
　
前記メモリはＳＤＲＡＭであり、
　
前記書き込み手段は、前記間引き手段によって生成された第２画像信号を保持するバッファ、および前記バッファによって保持された第２画像信号を前記メモリに転送する転送手段を含む
【発明の詳細な説明】
　【０００１】
　【産業上の利用分野】
　この発明は、ディジタルカメラに関し、特にたとえば、リアルタイムで撮影された被写体の動画像（スルー画像）をモニタに表示する、ディジタルカメラに関する。
　【０００２】
　【従来の技術】
　ディジタルカメラで撮影された被写体のスルー画像を内蔵のモニタに表示する場合、ＮＴＳＣフォーマットによれば、表示画像を１／３０秒毎に更新しなければならない。このため、撮影された各フレームの画像データは、更新タイミングに間に合うように短時間で処理しなければならない。一方、ＣＣＤイメージャの画素数が増えるにつれて各フレームの画像データ量が大きくなるため、データの処理方法を改善しなければ、処理に破綻をきたしてしまう。
　【０００３】
　このため、従来の１００万画素以上のディジタルカメラでは、スルー画像の出力時に、ＣＣＤイメージャから読み出す画素を間引いていた。つまり、シャッタボタンが押されたときにはすべての画素を読み出すが、スルー画像を出力するときは、画素を間引くことでデータ量を抑制していた。
　【０００４】
　【発明が解決しようとする課題】
　しかし、スルー画像の出力時とシャッタオン時とで読み出し方法を切り換えるやり方では、ＣＣＤイメージャの制御が難しいために、回路構成が複雑化するという問題があった。
　それゆえに、この発明の主たる目的は、処理の破綻を防止できる、新規なディジタルカメラを提供することである。
　【０００５】
　【課題を解決するための手段】
　この発明
のディジタルカメラ
、撮影手段は第１期間毎に１画面分の第１画像信号を出力し、読み出し手段は第１期間よりも短い第２期間毎に１画面分の第２画像信号を読み出し、第２期間は第１期間の整数分の１であり、指定手段は指定するメモリエリアを第１期間毎に切り換え、メモリはＳＤＲＡＭであり、書き込み手段は、間引き手段によって生成された第２画像信号を保持するバッファ、およびバッファによって保持された第２画像信号をメモリに転送する転送手段を含む
　【０００６】
　【作用】
　
撮影
、第
の第１
１画
１画
２画
、メ
。書
アに
２画
、読
２画
　【０００７】
　この発明のある局面では、
撮影
１期
１画
、読
１期
２期
２画
１期
。
　【０００８】
　この発明のその他の局面では、第
２画
表示手段によって
　【０００９】
　【発明の効果】
　この発明によれば、第１解像度
の第１
２画
撮影手段
　【００１０】
　この発明の上述の目的，その他の目的，特徴および利点は、図面を参照して行う以下の実施例の詳細な説明から一層明らかとなろう。
　【００１１】
　【実施例】
　図１を参照して、この実施例のディジタルカメラ１０は、ＣＣＤイメージャ１２を含む。ＣＣＤイメージャ１２の前面には、図示しない色フィルタが装着される。被写体の光像は、この色フィルタを通してＣＣＤイメージャ１２に照射される。
　【００１２】
　オペレータがモード設定スイッチ５６をカメラ側に設定すると、システムコントローラ５２が、カメラモードを設定する。すると、ＣＰＵ４６がシグナルジェネレータ（ＳＧ）１６を起動し、シグナルジェネレータ（ＳＧ）１６から水平同期信号および垂直同期信号が出力される。ＴＧ１４は、出力された水平同期信号および垂直同期信号に基づいてタイミング信号を生成し、ＣＣＤイメージャ１２をプログレッシブスキャン方式で駆動する。ＣＣＤイメージャ１２は垂直ライン数が“１０２４”で水平画素数が“７６８”のイメージャであり、この結果、ＸＧＡ解像度のカメラ信号（高解像度カメラ信号）が出力される。なお、各フレームのカメラ信号の出力には、１／１５秒かかる。
　【００１３】
　ＣＣＤイメージャ１２から出力されたカメラ信号は、各画素がいずれか１つの色成分をもつ信号である。このようなカメラ信号が、ＣＤＳ／ＡＧＣ回路１８で周知のノイズ除去およびレベル調整を施され、その後Ａ／Ｄ変換器２０でディジタル信号であるカメラデータに変換される。信号処理回路２２は、Ａ／Ｄ変換器２０から出力されたカメラデータに４：２：２の比率でＹＵＶ変換を施し、ＹＵＶデータ（高解像度ＹＵＶデータ）を生成する。
　【００１４】
　被写体のリアルタイムの動画像（スルー画像）をモニタ４４に表示するとき、スイッチＳＷ１は、間引き回路２４側に接続される。つまり、間引き回路２４は、スルー画像の出力時に能動化される。Ａ／Ｄ変換器２０から出力された高解像度ＹＵＶデータは間引き回路２４で間引き処理を施され、垂直ライン数“７６８”、水平画素数“４８０”のＹＵＶデータ（低解像度ＹＵＶデータ）に変換される。ただし、間引かれた分だけ画素データがつめられることはなく、低解像度ＹＵＶデータを構成する画素データは、間欠的に出力される。
　【００１５】
　間引き回路２４から出力された低解像度ＹＵＶデータは、スイッチＳＷ１を介してバッファ２６ａに与えられる。バッファ２６ａは、１２８画素分のＹＵＶデータに相当する容量をもつデュアルポートのＳＲＡＭによって構成される。低解像度ＹＵＶデータは、信号処理回路２２に設けられたバッファ書き込み回路２２ａによって、連続的にバッファ２６ａに書き込まれる。つまり、間引きによる画素の欠落部分がなくなるように、画素データがつめられる。これによって、画素ピッチが間引き処理前と等しくなる。
　【００１６】
　バッファ２６ａに書き込まれたＹＵＶデータは、後続のＹＵＶデータによって上書きされる前に、メモリ制御回路３０によって読み出される。メモリ制御回路３０は、読み出されたＹＵＶデータをバス２８を介して取り込み、その後バス３６を介してＳＤＲＡＭ３８に書き込む。読み出しクロックレートは書き込みクロックレートの４倍に設定され、バス２８および３６は、バッファ２６ａからＳＤＲＡＭ３８へのＹＵＶデータの転送に、全体の１／４の期間だけ占有される。
　【００１７】
　ＳＤＲＡＭ３８への書き込み動作を、図２を用いて具体的に説明する。信号処理回路２２に含まれる読み出しリクエスト発生回路２２ｂは、所定タイミングで読み出しリクエストを発生する。ＮＴＳＣエンコーダ４２に含まれる書き込みリクエスト発生回路４２ｂもまた、所定タイミングで読み出しリクエストを発生する。スルー画像の出力時、ＣＰＵ４６は、ＡＮＤ回路２２ｃおよび４２ｃにハイレベルのゲート信号を与える。これによってゲートが開かれ、読み出しリクエストおよび書き込みリクエストが調停回路３０ａに入力される。調停回路３０ａは各リクエストを調停し、いずれかのリクエストに応えるべく、処理回路３０ｂに所定のスタート信号を出力する。
　【００１８】
　読み出しリクエストを処理するときは、バッファ制御回路３２ａが、スタート信号に応答してアドレス信号をバッファ２６ａに与え、バッファ２６ａからＹＵＶデータを読み出す。読み出されたＹＵＶデータは、バス２８を介して処理回路３０ｂに取り込まれる。ＳＤＲＡＭ書き込み回路３４ａは、取り込まれたＹＵＶデータをバス３６を介してＳＤＲＡＭ３８に書き込む。バス２８および３６を常に占有すると他の処理ができない。このため、処理回路３０ｂは、６４画素分のＹＵＶデータの書き込みが完了する毎にエンド信号を調停回路３０ａに出力し、バス２８および３６を開放する。調停回路３０ａは次のリクエストの処理に移る。このようにして信号処理回路２２からの読み出しリクエストが複数回処理され、１フレーム分の低解像度ＹＵＶデータが１／１５秒かけてＳＤＲＡＭ３８に書き込まれる。
　【００１９】
　ＮＴＳＣエンコーダ４２からの書き込みリクエストを処理するとき、調停回路３０ａは、書き込みリクエストの入力に応答して所定のスタート信号を処理回路３０ｂに出力する。応じて、ＳＤＲＡＭ読み出し回路３４ｂが、ＹＵＶデータをＳＤＲＡＭ３８から読み出す。また、バッファ制御回路３２ｂが、ＳＤＲＡＭ３８から読み出されたＹＵＶデータをバッファ２６ｂに書き込む。処理回路３０ｂは、上述と同様に、６４画素分のＹＵＶデータの読み出しが完了した時点でエンド信号を発生する。これによって、バス２８および３６が開放される。このような処理が繰り返され、１フレーム分の低解像度ＹＵＶデータが１／３０秒かけてＳＤＲＡＭ３８から読み出される。なお、バッファ２６ｂもまた、デュアルポートのＳＲＡＭによって構成され、１２８画素分のＹＵＶデータを格納できるだけの容量を持つ。
　【００２０】
　ＳＤＲＡＭ３８は、図３に示すようにバンクＡおよびバンクＢを含む。バンク切り換え回路４０は、ＳＧ１６から出力された垂直同期信号および水平同期信号に基づいて、１／１５秒毎にレベルが変化するバンク切り換えパルスを出力する。ＳＤＲＡＭ書き込み回路３４ａは、バンク切り換えパルスがハイレベルのときに書き込み先をバンクＡとし、バンク切り換えパルスがローレベルのときに書き込み先をバンクＢとする。一方、ＳＤＲＡＭ読み出し回路３４ｂは、バンク切り換えパルスがハイレベルのときに読み出し先をバンクＢとし、バンク切り換えパルスがローレベルのときに読み出し先をバンクＡとする。つまり、ＳＤＲＡＭ３８に対する書き込み動作および読み出し動作は相補的に行われ、一方のバンクにデータが書き込まれているときは、他方のバンクからデータが読み出される。
　【００２１】
　上述のように、１フレームのＹＵＶデータの書き込みに１／１５秒必要となる一方、１フレームのＹＵＶデータの読み出しは１／３０秒で完了する。また、バンク切り換えパルスのレベルは、１／１５秒毎に変化する。このため、一方のバンクに現フレームのＹＵＶデータが書き込まれる間に、他方のバンクから次フレームのＹＵＶデータが２回繰り返して読み出される。このように、書き込みに要する時間と読み出しに要する時間とにずれがあるため、バンクが１つしかないと、読み出し走査が書き込み走査を追い越してしまう。すると、モニタ４４上に、水平方向に延びる線が現れてしまう。この実施例では、このような問題点を解消するために、ＳＤＲＡＭ３８にバンクを２つ形成し、各バンクに対する書き込み動作および読み出し動作を相補的に行っている。
　【００２２】
　ＮＴＳＣエンコーダ４２に設けられたバッファ読み出し回路４２ａは、バッファ４２に格納されたＹＵＶデータを書き込み時の１／４倍のクロックレートで読み出す。さらに、読み出したＹＵＶデータを、ＮＴＳＣフォーマットでエンコードする。エンコードされたデータはＤ／Ａ変換器（図示せず）でアナログ信号に変換され、モニタ４４に出力される。この結果、モニタ４４にスルー画像が表示される。【００２３】
　このように、スルー画像出力時は、１／１５秒毎に生成される高解像度ＹＵＶデータに間引き処理が施され、解像度がＶＧＡ程度まで低下した低解像度ＹＵＶデータが１／１５秒毎に間引き回路２４から出力される。つまり、画素数が減少するとともに、間引き部分での画素ピッチが長くなり、単位時間当たりのデータ量が減少する。したがって、このような低解像度ＹＵＶデータのＳＤＲＡＭ３８への転送にバス２８および３６が占有される期間は、従来の１／２に抑えられる。従来のやり方では、ＣＣＤイメージャ１２からの出力時に解像度を低くしているため、各フレームの低解像度ＹＵＶデータは１／３０秒でＳＤＲＡＭ３８に書き込まなければならない。これに対して、この実施例では、各フレームの低解像度ＹＵＶデータの書き込みを１／１５秒で完了すればよいため、バス２８および３６の占有率が１／２に抑えられる。つまり、従来技術と同様に処理の破綻を防止できるだけでなく、バスの占有率を従来技術以上に抑えることができる。
　【００２４】
　ただし、ＳＤＲＡＭ３８からの低解像度ＹＵＶデータの読み出しは１／３０秒で完了しなければならないため、読み出し時のバス２８および３６の占有率は、書き込み時の２倍となる。換言すれば、ＳＤＲＡＭ３８からの読み出しは、ＳＤＲＡＭ３８への書き込みの２倍の速度で行われる。このため、この実施例ではさらに、ＳＤＲＡＭ３８に２つのバンクを形成し、書き込みを行うバンクと読み出しを行うバンクとを相補的に切り換えるようにしている。したがって、モニタ４４に表示されるスルー画像の画質が劣化するのを防止できる。
　【００２５】
　オペレータがシャッタボタン５４を操作すると、ＣＰＵ４６は、スイッチＳＷ１を信号処理回路２２に接続する。また、図２に示すＡＮＤ回路４２ｃへのゲート信号をローレベルに落とし、書き込みリクエストにゲートをかける。この結果、間引き回路２４ならびにＳＤＲＡＭ読み出し回路３４ｂおよびバッファ制御回路３２ｂが不能化される。信号処理回路２２から出力された高解像度ＹＵＶデータは、間引き処理を施されることなくバッファ２６ａに書き込まれる。高解像度ＹＵＶデータの画素数は低解像度ＹＵＶデータに比べて多く、これに比例してＳＤＲＡＭ３８への書き込みに要する時間も長くなる。しかし、ＳＤＲＡＭ３８からのデータの読み出しが中止された分だけバス２８および３６の占有率が低下し、この低下分がＳＤＲＡＭ３８へのデータの書き込みに振り分けられる。このため、高解像度ＹＵＶデータのＳＤＲＡＭ３８への書き込み処理に破綻が生じることはない。
　【００２６】
　高解像度ＹＵＶデータのＳＤＲＡＭ３８への書き込みが完了すると、つまりシャッタボタン５４が押されてから１／１５秒が経過すると、ＣＰＵ４６は、図２に示すＡＮＤ回路２２ｃへのゲート信号もローレベルに落とす。これによって、読み出しリクエストにもゲートがかけられ、ＳＤＲＡＭ３８への書き込み動作も中止される。
　【００２７】
　なお、スイッチＳＷ２は、シャッタボタン５４の操作に応答して黒画像発生回路４１に接続される。このため、ＮＴＳＣエンコーダ４２には黒画像データが与えられ、シャッタオンと同時に黒画像がモニタ４４に表示される。
　ＳＤＲＡＭ３８に格納された１フレームの高解像度ＹＵＶデータは、バッファ２６ｃを介してＪＰＥＧコーデック４５に与えられ、ＪＰＥＧ圧縮を施される。これによって得られた圧縮データは、ＳＤＲＡＭ３８に一旦書き込まれた後、メモリカード５０に記録される。記録処理が完了すると、スイッチＳＷ２が元に戻され、さらにＡＮＤ回路４２ｃに与えるゲート信号のレベルもハイレベルに戻される。このため、ＳＤＲＡＭ３８に格納された高解像度ＹＵＶデータが読み出され、モニタ４４の表示が黒画像からフリーズ画像に切り換わる。フリーズ画像が表示されるとき、ＳＤＲＡＭ３８への書き込み処理は中止されたままであり、その分だけバス２８および３６に空きがある。したがって、高解像度ＹＵＶデータの画素数が低解像度ＹＵＶデータより多いにもかかわらず、バッファ２６ｂの処理に破綻が生じることはない。
　【００２８】
　なお、モニタ４４の解像度は、高解像度ＹＵＶデータおよび低解像度ＹＵＶデータのいずれよりも低い。このため、ＮＴＳＣエンコーダ４２は、高解像度ＹＵＶデータおよび低解像度ＹＵＶデータのそれぞれに、画素数に応じた間引き処理を施す。
　ＣＰＵ４６は、具体的には図４および図５に示すフロー図を処理する。まずステップＳ１で、カメラ信号処理ブロックのＤＭＡをスタートさせる。つまり、ＳＧ１５を起動し、スイッチＳＷ１を間引き回路２４に接続し、そしてハイレベルのゲート信号を信号処理回路２２に与える。信号処理回路２２は、低解像度ＹＵＶデータをバッファ２８に書き込むとともに、読み出しリクエストをメモリ制御回路３０に与える。この結果、低解像度ＹＵＶデータがＳＤＲＡＭ３８に書き込まれる。ＣＰＵ４６は次に、ステップＳ３でエンコードブロックのＤＭＡをスタートさせる。つまり、ＮＴＳＣエンコーダ４２にハイレベルのゲート信号を与える。このため、書き込みリクエストがメモリ制御回路３０に与えられ、ＳＤＲＡＭ３２から読み出された低解像度ＹＵＶデータがバッファ２６ｂに書き込まれる。ＮＴＳＣエンコーダ４２はさらに、バッファ２６ｂに書き込まれた低解像度ＵＶデータを処理し、この結果、スルー画像がモニタ４４に表示される。
　【００２９】
　オペレータによってシャッタボタン５４が操作されると、ＣＰＵ４６はステップＳ５で“ＹＥＳ”と判断する。このため、ステップＳ７でスイッチＳＷ１およびＳＷ２を信号処理回路２２および黒画像発生回路４１にそれぞれ接続し、ステップＳ９でＮＴＳＣエンコーダ４２に与えるゲート信号をローレベルに落とす。したがって、高解像度ＹＵＶデータがＳＤＲＡＭ３８に書き込まれ、モニタ４４には黒画像が表示される。ステップＳ１１では、シャッタボタン５４が押されてから１／１５秒が経過したかどうか判断する。ここで“ＹＥＳ”であれば、ステップＳ１３で信号処理回路２２に与えるゲート信号をハイレベルからローレベルに落とす。このため、ＳＤＲＡＭ３８への書き込み動作が中止される。
　【００３０】
　続いて、ステップＳ１５で高解像度ＹＵＶデータの記録処理を行い、記録処理が完了すると、ステップＳ１７で“ＹＥＳ”と判断する。そして、ステップＳ１９およびＳ２１のそれぞれで、スイッチＳＷ２をもとに戻すとともに、ＮＴＳＣエンコーダ４２に与えるゲート信号もハイレベルに戻す。したがって、モニタ４４から黒画像に代えてフリーズ画像が表示される。ステップＳ２３では、シャッタボタン５４の操作から所定時間が経過したかどうか判断する。“ＹＥＳ”であれば、ステップＳ２５でスイッチＳＷ１をもとに戻し、ステップＳ２７で信号処理回路２２に与えるゲート信号のレベルも元に戻し、そしてステップＳ５に戻る。この結果、スルー画像が再びモニタ４４に表示される。
【図面の簡単な説明】
　【図１】
　この発明の１実施例を示すブロック図である。
　【図２】
　図１実施例の一部を示すブロック図である。
　【図３】
　ＳＤＲＡＭを示す図解図である。
　【図４】
　図１実施例の動作の一部を示すフロー図である。
　【図５】
　図１実施例の動作の他の一部を示すフロー図である。
　【符号の説明】
　１０　…ディジタルカメラ
　２２　…信号処理回路
　２４　…間引き回路
　２８，３６　…バス
　３０　…メモリ制御回路
　３８　…ＳＤＲＡＭ
　４２　…ＮＴＳＣエンコーダ